(57)【要約】【課題】設定値に応じて出力電圧を線形に変化させ、かつ、設定値と出力電圧との関係を変化させる。【解決手段】第１基準電流源１０と、第１基準電流源１０が出力する電流の整数倍の電流を出力する複数の第１電流源１１と、複数の第１電流源１１から１以上の第１電流源１１を選択する第１選択部として機能する複数のスイッチ１２と、を有する第１電流供給部１と、第１選択部が選択した第１電流源１１が出力する電流の整数倍の電流を流す複数の第２電流源２１と、複数の第２電流源２１から１以上の第２電流源２１を選択する第２選択部として機能する複数のスイッチ２２と、を有する第２電流供給部２と、第２選択部が選択した第２電流源２１が供給する電流に応じた電圧を発生する電圧発生部として機能する抵抗４と、を備える。【選択図】図１
2015089083.tif 000002
【特許請求の範囲】
【請求項１】
第１基準電流源と、
前記第１基準電流源が出力する電流の整数倍の電流を出力する複数の第１電流源と、
前記複数の第１電流源から１以上の第１電流源を選択する第１選択部と、
を有する第１電流供給部と、
前記第１選択部が選択した前記第１電流源が出力する電流の整数倍の電流を流す複数の第２電流源と、
前記複数の第２電流源から１以上の第２電流源を選択する第２選択部と、
を有する第２電流供給部と、
前記第２選択部が選択した前記第２電流源が供給する電流に応じた電圧を発生する電圧発生部と、
を備える可変電圧出力回路。
【請求項２】
前記第１電流供給部は、
前記第１基準電流源に接続された第１トランジスタと、
前記第１トランジスタとカレントミラー回路を構成することにより前記複数の第１電流源として機能する複数の第２トランジスタと、
を有し、
前記第２電流供給部は、
前記第１選択部に接続された第３トランジスタと、
前記第３トランジスタとカレントミラー回路を構成することにより前記複数の第２電流源として機能する複数の第４トランジスタと、
を有する、
請求項１に記載の可変電圧出力回路。
【請求項３】
第２基準電流源と、
前記第２基準電流源が出力する電流の整数倍の電流を出力する複数の第３電流源と、
前記複数の第３電流源から１以上の第３電流源を選択する第３選択部と、
を有する第３電流供給部をさらに備え、
前記電圧発生部は、前記第２選択部が選択した前記第２電流源が供給する電流と、前記第３選択部が選択した前記第３電流源が供給する電流とを加算した電流に応じた電圧を発生する、
請求項１又は２に記載の可変電圧出力回路。
【請求項４】
前記第３電流供給部は、
前記第２基準電流源に接続された第５トランジスタと、
前記第５トランジスタとカレントミラー回路を構成することにより前記複数の第３電流源として機能する複数の第６トランジスタと、
を有する、
請求項３に記載の可変電圧出力回路。
【請求項５】
前記電圧発生部は、
前記第２選択部とグランドとの間に接続された可変抵抗を有する、
請求項１から４のいずれか１項に記載の可変電圧出力回路。
【請求項６】
請求項１から５のいずれか１項に記載の可変電圧出力回路を備える可変電圧出力装置であって、
前記可変電圧出力装置は、
前記第１選択部に第１設定データを入力するとともに、前記第２選択部に第２設定データを入力する制御部を備え、
前記第１選択部は、前記第１設定データに基づいて、前記複数の第１電流源から前記１以上の第１電流源を選択し、
前記第２選択部は、前記第２設定データに基づいて、前記複数の第２電流源から前記１以上の第２電流源を選択する、
可変電圧出力装置。
【発明の詳細な説明】
【技術分野】
【０００１】
本発明は、出力する電圧を変化させることができる可変電圧出力回路及び可変電圧出力装置に関する。
【背景技術】
【０００２】
従来、分圧回路の抵抗を変化させることにより出力電圧を変化させる可変電圧出力回路が知られている。また、出力電流がそれぞれ異なる複数の電流源を設け、出力抵抗に流す電流を出力する電流源を切り替えることで出力電圧を変化させる可変電圧出力回路も知られている（例えば、特許文献１を参照）。
【先行技術文献】
【特許文献】
【０００３】
【特許文献１】特開２０１２−６０６１８号公報
【発明の概要】
【発明が解決しようとする課題】
【０００４】
図７は、分圧回路の抵抗を変化させることにより出力電圧を変化させる従来の可変電圧出力回路５００の構成を示す図である。図８は、複数の電流源を用いる従来の可変電圧出力回路６００の構成を示す図である。
【０００５】
可変電圧出力回路５００は、入力端子と出力端子との間に、複数の抵抗５０と、複数のスイッチ５１とが設けられている。また、電源と入力端子との間に抵抗５２が設けられており、出力端子とグランドとの間に抵抗５３が設けられている。可変電圧出力回路５００は、外部から入力される設定値に応じて、複数のスイッチ５１のうちのどのスイッチ５１を導通させるかを切り替えることで、入力端子と出力端子との間を流れる電流値及び出力電圧値を変化させる。
【０００６】
可変電圧出力回路６００は、電源と抵抗６３との間に並列に設けられた複数の電流源６０（電流源６０−１、電流源６０−２、電流源６０−３、・・・、電流源６０−ｎ、ｎは２以上の整数）を備える。それぞれの電流源６０は、電流源６１と、電流源６１が出力する電流を抵抗６３に流すか否かを切り替えるスイッチ６２とを有する。可変電圧出力回路６００は、外部から入力される設定値に基づいて、それぞれの電流源６０が有するスイッチ６２の導通状態を切り替えることで、抵抗６３を流れる電流値及び出力電圧値を変化させる。
【０００７】
図９は、従来の可変電圧出力回路５００及び可変電圧出力回路６００の出力電流の特性を示す図である。図９の横軸は、可変電圧出力回路５００及び可変電圧出力回路６００の外部から入力される設定値である。図９における点線は、可変電圧出力回路５００の出力電流特性を示す。可変電圧出力回路５００においては、出力電圧に応じてスイッチ５１のオン抵抗が変動するために、外部から入力される設定値の変化に応じて、出力電流が非線形に変化することがわかる。これに対して、図９における実線が示す可変電圧出力回路６００の出力電流の特性は、設定値に応じて線形に出力電流が変化することがわかる。
【０００８】
このように、可変電圧出力回路６００の構成を用いることにより、設定値に応じて線形に変化する出力電圧を得ることが可能になる。しかし、可変電圧出力回路６００における設定値と出力電流との関係が固定されているので、可変電圧出力回路６００を使用する外部環境の変化に柔軟に適応して出力電流を変化させることはできなかった。
【０００９】
そこで、本発明はこれらの点に鑑みてなされたものであり、設定値に応じて出力電圧が線形に変化し、かつ、設定値と出力電圧との関係を変化させることができる可変電圧出力回路及び可変電圧出力装置を提供することを目的とする。
【課題を解決するための手段】
【００１０】
本発明の第１の態様に係る可変電圧出力回路は、第１基準電流源と、前記第１基準電流源が出力する電流の整数倍の電流を出力する複数の第１電流源と、前記複数の第１電流源から１以上の第１電流源を選択する第１選択部と、を有する第１電流供給部と、前記第１選択部が選択した前記第１電流源が出力する電流の整数倍の電流を流す複数の第２電流源と、前記複数の第２電流源から１以上の第２電流源を選択する第２選択部と、を有する第２電流供給部と、前記第２選択部が選択した前記第２電流源が供給する電流に応じた電圧を発生する電圧発生部と、を備える。
【００１１】
前記第１電流供給部は、例えば、前記第１基準電流源に接続された第１トランジスタと、前記第１トランジスタとカレントミラー回路を構成することにより前記複数の第１電流源として機能する複数の第２トランジスタと、を有し、前記第２電流供給部は、前記第１選択部に接続された第３トランジスタと、前記第３トランジスタとカレントミラー回路を構成することにより前記複数の第２電流源として機能する複数の第４トランジスタと、を有する。
【００１２】
上記の可変電圧出力回路は、第２基準電流源と、前記第２基準電流源が出力する電流の整数倍の電流を出力する複数の第３電流源と、前記複数の第３電流源から１以上の第３電流源を選択する第３選択部と、を有する第３電流供給部をさらに備え、前記電圧発生部は、前記第２選択部が選択した前記第２電流源が供給する電流と、前記第３選択部が選択した前記第３電流源が供給する電流とを加算した電流に応じた電圧を発生してもよい。
【００１３】
前記第３電流供給部は、前記第２基準電流源に接続された第５トランジスタと、前記第５トランジスタとカレントミラー回路を構成することにより前記複数の第３電流源として機能する複数の第６トランジスタと、を有してもよい。また、前記電圧発生部は、前記第２選択部とグランドとの間に接続された可変抵抗を有してもよい。
【００１４】
本発明の第２の態様に係る可変電圧出力装置は、可変電圧出力回路を備える可変電圧出力装置であって、前記可変電圧出力装置は、前記第１選択部に第１設定データを入力するとともに、前記第２選択部に第２設定データを入力する制御部を備え、前記第１選択部は、前記第１設定データに基づいて、前記複数の第１電流源から前記１以上の第１電流源を選択し、前記第２選択部は、前記第２設定データに基づいて、前記複数の第２電流源から前記１以上の第２電流源を選択する。
【発明の効果】
【００１５】
本発明によれば、設定値に応じて出力電圧が線形に変化し、かつ、設定値と出力電圧との関係を変化させることができるという効果を奏する。
【図面の簡単な説明】
【００１６】
【図１】第１の実施形態に係る可変電圧出力回路の構成を示す図である。
【図２】可変電圧出力回路に入力する第１設定値及び第２設定値を変化させた場合の出力電流を示す図である。
【図３】第２の実施形態に係る可変電圧出力回路の構成を示す図である。
【図４】可変電圧出力回路に入力する第１設定値を固定し、第２設定値及び第３設定値を変化させた場合の出力電流を示す図である。
【図５】第３の実施形態に係る可変電圧出力回路の構成を示す図である。
【図６】第４の実施形態に係る可変電圧出力装置の構成を示す図である。
【図７】従来の可変電圧出力回路の構成を示す図である。
【図８】従来の可変電圧出力回路の構成を示す図である。
【図９】従来の可変電圧出力回路の出力電流の特性を示す図である。
【発明を実施するための形態】
【００１７】
＜第１の実施形態＞
図１は、第１の実施形態に係る可変電圧出力回路１００の構成を示す図である。可変電圧出力回路１００は、第１電流供給部１と、第２電流供給部２と、抵抗４０とを備える。
【００１８】
第１電流供給部１は、第１基準電流源１０と、複数の第１電流源１１（第１電流源１１−１、第１電流源１１−２及び第１電流源１１−３）と、複数のスイッチ１２（スイッチ１２−１、スイッチ１２−２及びスイッチ１２−３）と、トランジスタ１３とを備える。第１基準電流源１０は、Ｎ型のトランジスタ１３に対して基準電流を出力する。第１電流源１１及びトランジスタ１３は、カレントミラー回路を構成し、複数の第１電流源１１のそれぞれは、第１基準電流源１０が出力する電流の整数倍の電流を出力する。
【００１９】
第１電流源１１−１、第１電流源１１−２及び第１電流源１１−３は、それぞれ並列に接続された１個、２個及び４個のＮ型のトランジスタ１１１を有する。トランジスタ１１１は、トランジスタ１３と同じサイズのトランジスタである。トランジスタ１３とそれぞれの第１電流源１１のトランジスタ１１１とはカレントミラー回路を構成する。したがって、第１電流源１１−１は、第１基準電流源１０が出力する電流Ｉ０と同じ大きさの電流Ｉ１１を出力する。第１電流源１１−２は、第１基準電流源１０が出力する電流Ｉ０の２倍の大きさの電流Ｉ１２を出力する。第１電流源１１−３は、第１基準電流源１０が出力する電流Ｉ０の４倍の大きさの電流Ｉ１４を出力する。
【００２０】
複数のスイッチ１２は、複数の第１電流源１１から１以上の第１電流源１１を選択する第１選択部として機能する。複数のスイッチ１２は、外部から入力される第１設定データの設定値（以下、第１設定値という）に応じて、スイッチ１２−１、スイッチ１２−２及びスイッチ１２−３のうち、どれを導通状態にして、どれを非導通状態にするかを切り替えることにより、第１電流供給部１から第２電流供給部２へと出力する電流の大きさを変化させることができる。なお、第１設定値が例えば０００の場合、複数のスイッチ１２の全てが非導通状態になるので、いずれの第１電流源１１も選択されない。
【００２１】
第１設定データは、第１ビットがスイッチ１２−１に割り当てられ、第２ビットがスイッチ１２−２に割り当てられ、第３ビットがスイッチ１２−３に割り当てられたバイナリーデータである。例えば、スイッチ１２−１は、第１設定データの第１ビットが０の場合に非導通状態であり、第１ビットが１の場合に導通状態である。
【００２２】
第１設定値が０００の場合は、スイッチ１２−１、スイッチ１２−２及びスイッチ１２−３の全てが非導通状態であり、第１電流供給部１からは電流が出力されない。第１設定値が００１の場合は、第１電流源１１−１からＩ１１が出力され、０１０の場合は、第１電流源１１−２からＩ１２が出力される。第１設定値が１１１の場合は、第１電流源１１−１、第１電流源１１−２及び第１電流源１１−３の全てから電流が出力されるので、第１電流供給部１からの出力電流は、Ｉ１＝Ｉ１１＋Ｉ１２＋Ｉ１４となる。すなわち、第１電流供給部１からは、第１基準電流源１０の出力電流の７倍の電流が出力される。
【００２３】
第２電流供給部２は、複数の第２電流源２１（第２電流源２１−１、第２電流源２１−２及び第２電流源２１−３）と、複数のスイッチ２２（スイッチ２２−１、スイッチ２２−２及びスイッチ２２−３）と、トランジスタ２３とを有する。第１電流供給部１が出力した電流は、Ｐ型のトランジスタ２３に入力される。トランジスタ２３及び複数の第２電流源２１は、カレントミラー回路を構成し、複数の第２電流源２１は、複数のスイッチ１２により選択された第１電流源１１が出力する電流Ｉ１の整数倍の電流を出力する。
【００２４】
第２電流源２１−１、第２電流源２１−２及び第２電流源２１−３は、それぞれ並列に接続された１個、２個及び４個のＰ型のトランジスタ２１１を有する。トランジスタ２１１は、トランジスタ２３と同じサイズのトランジスタである。トランジスタ２３とそれぞれの第２電流源２１のトランジスタ２１１とはカレントミラー回路を構成する。したがって、第２電流源２１−１は、第１電流供給部１が出力する電流Ｉ１と同じ大きさの電流Ｉ２１を出力する。第２電流源２１−２は、第１電流供給部１が出力する電流Ｉ１の２倍の大きさの電流Ｉ２２を出力する。第２電流源２１−３は、第１電流供給部１が出力する電流Ｉ１の４倍の大きさの電流Ｉ２４を出力する。
【００２５】
複数のスイッチ２２は、複数の第２電流源２１から１以上の第２電流源２１を選択する第２選択部として機能する。複数のスイッチ２２は、外部から入力される第２設定データの設定値（以下、第２設定値という）に応じて、スイッチ２２−１、スイッチ２２−２及びスイッチ２２−３のうち、どれを導通状態にして、どれを非導通状態にするかを切り替えることにより、第２電流供給部２から電圧発生部４へと出力する電流の大きさを変化させることができる。なお、第２設定値が例えば０００の場合、複数のスイッチ２２の全てが非導通状態になるので、いずれの第２電流源２１も選択されない。
【００２６】
第２設定データは、第１ビットがスイッチ２２−１に割り当てられ、第２ビットがスイッチ２２−２に割り当てられ、第３ビットがスイッチ２２−３に割り当てられたバイナリーデータである。例えば、スイッチ２２−１は、第２設定データの第１ビットが０の場合に非導通状態であり、第１ビットが１の場合に導通状態である。
【００２７】
第２設定値が０００の場合は、スイッチ２２−１、スイッチ２２−２及びスイッチ２２−３の全てが非導通状態であり、第２電流供給部２からは電流が出力されない。第２設定値が００１の場合は、第２電流源２１−１からＩ２１が出力され、０１０の場合は、第２電流源２１−２からＩ２２が出力される。第２設定値が１１１の場合は、第２電流源２１−１、第２電流源２１−２及び第２電流源２１−３の全てから電流が出力されるので、第２電流供給部２からの出力電流は、Ｉ２＝Ｉ２１＋Ｉ２２＋Ｉ２４となる。すなわち、第２電流供給部２からは、第１電流供給部１の出力電流Ｉ１の７倍の電流が出力される。
【００２８】
第１電流供給部１から出力される電流Ｉ１が、第１基準電流源１０の出力電流Ｉ０のα倍であり、第２電流供給部２から出力される電流Ｉ２が、第１電流供給部１の出力電流Ｉ１のβ倍である場合、第２電流供給部２から出力される電流Ｉ２＝α・β・Ｉ０となる。第２電流供給部２から出力される電流Ｉ２は、電圧発生部として機能する抵抗４０に入力される。第２電流供給部２と抵抗４０との接続点には、出力端子が設けられている。出力端子から出力される電圧は、Ｖｏｕｔ＝Ｒ・Ｉ２＝Ｒ・α・β・Ｉ０である。
【００２９】
図２は、可変電圧出力回路１００に入力する第１設定値及び第２設定値を変化させた場合の出力電流を示す図である。第１設定値が固定された状態で第２設定値を変化させると、第２設定値に比例して出力電流が変化することがわかる。また、第１設定値を変化させると、第２設定値の変化量に対する出力電流の変化量が変化することもわかる。
【００３０】
以上のとおり、本実施形態に係る可変電圧出力回路１００は、第２設定値に応じて出力電圧が線形に変化し、かつ、出力電圧の傾きを変化させることができる。
【００３１】
＜第２の実施形態＞
図３は、第２の実施形態に係る可変電圧出力回路２００の構成を示す図である。可変電圧出力回路２００は、第３電流供給部３をさらに備える点で可変電圧出力回路１００と異なり、他の点で同じである。第３電流供給部３は、複数の第３電流源３１（第３電流源３１−１、第３電流源３１−２及び第３電流源３１−３）と、複数のスイッチ３２（スイッチ３２−１、スイッチ３２−２及びスイッチ３２−３）と、トランジスタ３３と、第２基準電流源３４とを有する。第２基準電流源３４は、Ｐ型のトランジスタ３３とグランドとの間に設けられており、トランジスタ３３のソース−ドレイン間を電流Ｉ３０が流れる。トランジスタ３３及び複数の第３電流源３１は、カレントミラー回路を構成し、複数の第３電流源３１は、第２基準電流源３４が出力する電流Ｉ３０の整数倍の電流を出力する。
【００３２】
第３電流源３１−１、第３電流源３１−２及び第３電流源３１−３は、それぞれ並列に接続された１個、２個及び４個のＰ型のトランジスタ３１１を有する。トランジスタ３１１は、トランジスタ３３と同じサイズのトランジスタである。トランジスタ３３とそれぞれの第３電流源３１のトランジスタ３１１とはカレントミラー回路を構成する。したがって、第３電流源３１−１は、第２基準電流源３４が流す電流Ｉ３０と同じ大きさの電流Ｉ３１を出力する。第３電流源３１−２は、第２基準電流源３４が流す電流Ｉ３０の２倍の大きさの電流Ｉ３２を出力する。第３電流源３１−３は、第２基準電流源３４が流す電流Ｉ３０の４倍の大きさの電流Ｉ３４を出力する。
【００３３】
複数のスイッチ３２は、複数の第３電流源３１から１以上の第３電流源３１を選択する第３選択部として機能する。複数のスイッチ３２は、外部から入力される第３設定データの設定値（以下、第３設定値という）に応じて、スイッチ３２−１、スイッチ３２−２及びスイッチ３２−３のうち、どれを導通状態にして、どれを非導通状態にするかを切り替えることにより、第３電流供給部３から電圧発生部として機能する抵抗４０へと出力する電流の大きさを変化させることができる。なお、第３設定値が例えば０００の場合、複数のスイッチ３２の全てが非導通状態になるので、いずれの第３電流源３１も選択されない。
【００３４】
第３設定データは、第１ビットがスイッチ３２−１に割り当てられ、第２ビットがスイッチ３２−２に割り当てられ、第３ビットがスイッチ３２−３に割り当てられたバイナリーデータである。例えば、スイッチ３２−１は、第３設定データの第１ビットが０の場合に非導通状態であり、第１ビットが１の場合に導通状態である。
【００３５】
第３設定値が０００の場合は、スイッチ３２−１、スイッチ３２−２及びスイッチ３２−３の全てが非導通状態であり、第３電流供給部３からは電流が出力されない。第３設定値が００１の場合は、第３電流源３１−１からＩ３１が出力され、０１０の場合は、第３電流源３１−２からＩ３２が出力される。第３設定値が１１１の場合は、第３電流源３１−１、第３電流源３１−２及び第３電流源３１−３の全てから電流が出力されるので、第３電流供給部３からの出力電流は、Ｉ３＝Ｉ３１＋Ｉ３２＋Ｉ３４となる。すなわち、第３電流供給部３からは、第２基準電流源３４が流す電流Ｉ３０の７倍の電流が出力される。
【００３６】
第１電流供給部１から出力される電流Ｉ１が、第１基準電流源１０の出力電流Ｉ０のα倍であり、第２電流供給部２から出力される電流Ｉ２が、第１電流供給部１の出力電流Ｉ１のβ倍であり、第３電流供給部３から出力されるＩ３が、第２基準電流源３４が流す電流Ｉ３０のγ倍である場合、第２電流供給部２及び第３電流供給部３から出力される電流の合計値Ｉ２＋Ｉ３＝α・β・Ｉ０＋γ・Ｉ３０となる。
【００３７】
第２電流供給部２及び第３電流供給部３から出力される電流Ｉ２＋Ｉ３は、電圧発生部として機能する抵抗４０に入力される。抵抗４０は、複数のスイッチ２２により選択された第２電流源２１が供給する電流と、複数のスイッチ３２により選択された第３電流源３１が供給する電流とを加算した電流に応じた電圧を発生する。したがって、出力端子から出力される電圧は、Ｖｏｕｔ＝Ｒ（α・β・Ｉ０＋γ・Ｉ３０）である。
【００３８】
図４は、可変電圧出力回路２００に入力する第１設定値を固定し、第２設定値及び第３設定値を変化させた場合の出力電流を示す図である。それぞれの第２設定値において、第３設定値を変化させると、出力電流の初期値が所定量だけ大きくなっていることがわかる。第１設定値もさらに変化させると、第１設定値に応じて、傾きも調整することができる。
【００３９】
以上のとおり、本実施形態に係る可変電圧出力回路２００は、第２設定値に応じて出力電圧が線形に変化し、かつ、出力電圧の初期値を変化させることができる。
【００４０】
＜第３の実施形態＞
図５は、第３の実施形態に係る可変電圧出力回路３００の構成を示す図である。可変電圧出力回路３００は、電圧発生部として機能する可変抵抗回路４をさらに備える点で可変電圧出力回路２００と異なり、他の点で同じである。可変抵抗回路４は、第２電流供給部２とグランドとの間に接続された可変抵抗として機能する。可変抵抗回路４は、第２電流供給部２とグランドとの間に直列に設けられた複数の抵抗４０（抵抗４０−１から抵抗４０−４）と、それぞれの抵抗４０の一端とグランドとの間に設けられた複数のスイッチ４１（スイッチ４１−１からスイッチ４１−４）とを有する。抵抗４０の抵抗値は、スイッチ４１のオン抵抗を無視できる程度の大きさである。
【００４１】
可変抵抗回路４は、外部から入力される第４設定データの設定値（以下、第４設定値という）に応じて、複数のスイッチ４１のうち、どれを導通状態にして、どれを非導通状態にするかを切り替えることにより、第２電流供給部２とグランドとの間の抵抗の大きさを変化させる。可変抵抗回路４の抵抗値が変化すると、第２電流供給部２及び第３電流供給部３から出力される電流に対する出力電圧の関係が変化する。
【００４２】
第４設定データは、第１ビットがスイッチ４１−１に割り当てられ、第２ビットがスイッチ４１−２に割り当てられ、第３ビットがスイッチ４１−３に割り当てられ、第４ビットがスイッチ４１−４に割り当てられたバイナリーデータである。例えば、スイッチ４１−１は、第４設定データの第１ビットが０の場合に非導通状態であり、第１ビットが１の場合に導通状態である。第４設定値は、例えば、いずれか１つのビットが１であり、いずれか１つのスイッチ４１が導通状態になる。例えば、第４設定値が０００１の場合、スイッチ４１−１が導通状態になるので、可変抵抗回路４の抵抗値が抵抗４０−１の抵抗値と等しくなり、抵抗値及び出力電圧が最小になる。第４設定値が１０００の場合、スイッチ４１−４が導通状態になるので、可変抵抗回路４の抵抗値は、抵抗４０−１から抵抗４０−４の抵抗値の合計値に等しくなり、抵抗値及び出力電圧が最大になる。
【００４３】
以上のとおり、本実施形態に係る可変電圧出力回路３００は、第４設定値を変化させることで、出力電圧の変化量の分解能を向上させることができる。
【００４４】
＜第４の実施形態＞
図６は、第４の実施形態に係る可変電圧出力装置１０００の構成を示す図である。可変電圧出力装置１０００は、可変電圧出力回路１００及び制御部１５０を備える。可変電圧出力装置１０００は、可変電圧出力回路１００の代わりに、可変電圧出力回路２００又は可変電圧出力回路３００を備えてもよい。
【００４５】
制御部１５０は、例えばＣＰＵにより構成され、所定のプログラムを実行することにより、可変電圧出力回路１００に対して第１設定値及び第２設定値を含む設定データを出力する。具体的には、制御部１５０は、第１設定値を含む第１設定データを複数のスイッチ１２に入力するとともに、第２設定値を含む第２設定データを複数のスイッチ２２に入力する。複数のスイッチ１２は、第１設定データに基づいて、複数の第１電流源１１から１以上の第１電流源１１を選択する。複数のスイッチ２２は、第２設定データに基づいて、複数の第２電流源２１から１以上の第２電流源２１を選択する。
【００４６】
以上のとおり、可変電圧出力装置１０００によれば、制御部１５０の制御により、出力電圧を変化させることができる。
【００４７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４８】
例えば、上記の実施形態においては、それぞれの電流供給部が３つの電流源を有する例について説明したが、それぞれの電流供給部は、４個以上の電流源を有してもよい。すなわち、それぞれの電流供給部は、ｎビットの設定データにより制御されるｎ個の電流源であって、それぞれ１、２、４、・・・、２ｎ−１個のトランジスタを有する電流源を有し、それぞれの電流源に対応するスイッチを有してもよい。
【符号の説明】
【００４９】
１・・・第１電流供給部、２・・・第２電流供給部、３・・・第３電流供給部、４・・・電圧発生部、１０・・・第１基準電流源、１１・・・第１電流源、１２・・・スイッチ、１３・・・トランジスタ、２１・・・第２電流源、２２・・・スイッチ、２３・・・トランジスタ、３１・・・第３電流源、３２・・・スイッチ、３３・・・トランジスタ、３４・・・第２基準電流源、４０・・・抵抗、４１・・・スイッチ、５０・・・抵抗、５１・・・スイッチ、６０・・・電流源、６１・・・電流源、６２・・・スイッチ、６３・・・抵抗、１００・・・可変電圧出力回路、１１１・・・トランジスタ、１５０・・・制御部、２００・・・可変電圧出力回路、２１１・・・トランジスタ、３００・・・可変電圧出力回路、３１１・・・トランジスタ、５００・・・可変電圧出力回路、６００・・・可変電圧出力回路、１０００・・・可変電圧出力装置
【図２】
2015089083.tif 000003
【図４】
2015089083.tif 000004
【図６】
2015089083.tif 000005
【図７】
2015089083.tif 000006
【図８】
2015089083.tif 000007
【図９】
2015089083.tif 000008
【図１】
2015089083.tif 000009
【図３】
2015089083.tif 000010
【図５】
2015089083.tif 000011